(57)【要約】【課題】光源から出射される光を確実に光記録媒体に導くことができる光ピックアップ装置、および光源からの光を確実に検出できる光ピックアップ装置を提供する。【解決手段】レーザ光源からのレーザ光を光ディスクに照射して、少なくとも光ディスクに記録される情報を読取る光ピックアップ装置であって、第１表面２５ａが平面状に形成されるとともに、第２表面２５ｂが凸球面状に形成され、前記第１表面２５ａは、入射するレーザ光を反射する性質を有し、レーザ光源からのレーザ光を、前記レーザ光の光軸Ｌ１０に交差する方向に反射して、対物レンズ２６に導く立上ミラー２５と、前記立上ミラー２５の第２表面２５ｂに対応する曲面に形成される支持面２８ａを有し、前記立上ミラー２５を角変位可能に支持する支持部２８とを備える。【選択図】      図２
2004220665.tif 000002
【特許請求の範囲】
【請求項１】
光源からの光を光記録媒体に照射して、少なくとも前記光記録媒体に記録される情報を読取る光ピックアップ装置であって、
厚み方向一方の表面が平面状に形成されるとともに、厚み方向他方の表面が凸曲面状に形成され、前記厚み方向一方の表面は、入射する光を反射する性質を有し、光源からの光を、前記光の光軸に交差する方向に反射して、光記録媒体に導く導光手段を備えることを特徴とする光ピックアップ装置。
【請求項２】
前記導光手段は、厚み方向他方の表面が凸球面状に形成される立上ミラーであることを特徴とする請求項１記載の光ピックアップ装置。
【請求項３】
前記導光手段は、厚み方向他方の表面が凸円筒面状に形成される立上ミラーであることを特徴とする請求項１記載の光ピックアップ装置。
【請求項４】
前記導光手段の厚み方向他方の表面に対応する曲面に形成される支持面を有する支持手段をさらに備えることを特徴とする請求項２または３記載の光ピックアップ装置。
【請求項５】
前記導光手段は、厚み方向一方の表面に入射した光の一部を透過する透光性を有し、
前記導光手段の厚み方向他方の表面に臨み、前記導光手段を透過して厚み方向他方の表面から出射した光を検出する検出手段をさらに備えることを特徴とする請求項２または３記載の光ピックアップ装置。
【請求項６】
光源と立上ミラーとの間に配置され、光源からの光を平行光に変換するコリメートレンズと、
光源からの光のうち、コリメートレンズに入射する有効領域よりも外方の光を、前記光の光軸に交差する方向に反射する反射手段と、
反射手段で反射した光を検出する検出手段とをさらに備え、
前記反射手段と前記検出手段とは一体的に設けられることを特徴とする請求項２または３記載の光ピックアップ装置。
【請求項７】
反射手段と検出手段とは、機械的に連結されることを特徴とする請求項６記載の光ピックアップ装置。
【請求項８】
反射手段は、透光性を有するとともに、軸線方向一端部には、光を軸線方向他端部に向けて反射する反射面を有し、
検出手段は、前記反射手段の軸線方向他端部に連結されることを特徴とする請求項６記載の光ピックアップ装置。
【請求項９】
反射手段および検出手段は、位置を調整可能にして設けられることを特徴とする請求項６記載の光ピックアップ装置。
【発明の詳細な説明】
【０００１】
【発明の属する技術分野】
本発明は、コンパクトディスクおよびデジタル多機能ディスクなどの光記録媒体に記録される情報の読取り、ならびに書込み可能な光記録媒体に情報の書込みを行う光ピックアップ装置に関する。
【０００２】
【従来の技術】
図１４は、第１の従来技術である光ピックアップ装置１の構成を模式的に示す図である。図１４は、光ピックアップ装置１を、光ディスク１００の回転軸線Ｌ１００方向から見た図である。光ピックアップ装置１は、レーザ光源２、回折格子３、コリメートレンズ４、立上ミラー５および対物レンズ６を含んで構成される。光ピックアップ装置１において、レーザ光源２、回折格子３、コリメートレンズ４、立上ミラー５および対物レンズ６は、ハウジング７に収容されている。ハウジング７には、立上ミラー５を貼り付けるための、ハウジング７の内空間に突出する立上ミラー貼付部７ａが設けられる。
【０００３】
立上ミラー貼付部７ａは、コリメートレンズ４および対物レンズ６に臨み、レーザ光源２からのレーザ光の光軸Ｌ１に対して傾斜する平面状の貼付面７ｂが形成される。平板状の立上ミラー５は、厚み方向一方の表面が、立上ミラー貼付部７ａの貼付面７ｂに、接着剤によって貼り付けられて、立上ミラー貼付部７ａに固定される。このように固定されることによって、立上ミラー５の、前記厚み方向一方の表面に平行な厚み方向他方の表面である反射面も、レーザ光源２からのレーザ光の光軸Ｌ１に対して傾斜するように配置される。
【０００４】
光ピックアップ装置１の製造工程において、ハウジング７の立上ミラー貼付部７ａの仕上がり寸法は、精密に管理されている。これによって、立上ミラー貼付部７ａの貼付面７ｂに立上ミラー５を固定するだけで、レーザ光源２からのレーザ光の光軸Ｌ１に対する立上ミラー５の反射面の前記光軸Ｌ１に対する傾斜角度の精度を、目標傾斜角度の±１０分以内にすることができる。このような立上ミラー５によって、レーザ光源２からのレーザ光を、対物レンズ６に導いて、光ディスク１００の情報記録面に集光させることができる。
【０００５】
図１５は、第２の従来技術の光ピックアップ装置における、立上ミラー５の位置調整機構を示す図である。レーザ光源からのレーザ光を光ディスクに導くために、立上ミラー５の位置調整を行う光ピックアップ装置がある（たとえば特許文献１参照）。図１５（１）に示すよう位置調整機構では、ホルダ８Ａに立上ミラー５を固定して、スライド方向Ｑ１に延びるようにしてハウジング７に形成されるガイド部９Ａに前記ホルダ８Ａを嵌合し、前記ホルダ８Ａをスライド方向Ｑ１に摺動させて、立上ミラー５の位置を調整する。また図１５（２）に示すようなホルダ８Ｂに立上ミラー５を固定することで、傾斜させることができる。
【０００６】
また図１５（３）および図１５（４）に示す位置調整機構では、円筒状のホルダ８Ｃの一端部に立上ミラー５を固定して、ハウジング７に形成される凹所９Ｃに前記ホルダ８Ｃの外周部を嵌合し、前記ホルダ８Ｃをその軸線Ｌ８ｃまわりに摺動させて、立上ミラー５の位置を調整する。前記ホルダ８Ｃを軸線Ｌ８ｃ方向に摺動させて、立上ミラー５の位置を調整する。
【０００７】
さらに図１５（５）に示す位置調整機構では、円筒状のホルダ８Ｄの一端部に立上ミラー５を固定する。平板状であって、その中央部に厚み方向に貫通する孔が形成されるスライダ８Ｅに、前記ホルダ８Ｄをその軸線Ｌ８ｄ方向に角変位自在にして嵌合する。スライド方向Ｑ４に延びるようにしてハウジング７に形成されるガイド部９Ｄに前記スライダ８Ｅを嵌合し、前記スライダ８Ｅをスライド方向Ｑ４に摺動させて、立上ミラー５の位置を調整する。また前記ホルダ８Ｄを軸線Ｌ８ｄ方向に摺動させて、立上ミラー５の位置を調整する。
【０００８】
光ピックアップ装置において、レーザ光源として用いられる半導体レーザ素子は、温度変動および経年変化によって、レーザ光を出射するパワーが変動する。このようなレーザ光出射パワーの変動を防ぐために、ＡＰＣ（Ａｕｔｏ  Ｐｏｗｅｒ
Ｃｏｎｔｒｏｌ）回路を用いて、レーザ光を出射するパワーの制御を行い、光ディスクに対して出射するレーザ光のパワーレベルを安定化している。このＡＰＣの代表的な方式として内部モニタ方式とも呼ばれるリアモニタ方式と、外部モニタ方式とも呼ばれるフロントモニタ方式とがある。
【０００９】
リアモニタ方式は、半導体レーザ素子の出射面とは反対側の端面から出射されるレーザ光を検出するので、検出精度などの問題がある。したがって一般的には、フロントモニタ方式が採用されている。
【００１０】
フロントモニタ方式は、半導体レーザ素子の出射面から出射されるレーザ光の一部を用いて、レーザ光のパワーを検出して、半導体レーザ素子を駆動する駆動回路に検出したレーザ光のパワーをフィードバックすることで、レーザ光のパワーを一定に保つように制御する方式である（たとえば特許文献２参照）。
【００１１】
図１６は、第３の従来技術であるフロントモニタ方式の光ピックアップ装置１０の構成を模式的に示す図である。図１６は、光ピックアップ装置１を、光ディスク１００の回転軸線Ｌ１００に垂直な一方向から見た図である。光ピックアップ装置１０は、レーザ光源２、回折格子３、コリメートレンズ４、立上ミラー５、対物レンズ６、反射ミラー１１、フロントモニタ１２およびビームスプリッタ１３を含んで構成される。反射ミラー１１は、回折格子３およびフロントモニタ１２に臨み、レーザ光源２からのレーザ光の光軸Ｌ１に対して傾斜する透過反射面を有する。反射ミラー１１の透過反射面は、レーザ光源２からのレーザ光の極一部をフロントモニタ１２に導くように反射するとともに、レーザ光源２からのレーザ光の大部分をビームスプリッタ１３に導くように透過する。
【００１２】
レーザ光源２から出射されたレーザ光の大部分は、回折格子３、反射ミラー１１、ビームスプリッタ１３、コリメートレンズ４、立上ミラー５および対物レンズ６の順に進み、光ディスク１００の情報記録面に照射される。このときレーザ光の一部は反射ミラー１１によって反射されて、フロントモニタ１２に入射して、レーザ光のパワーが検出される。光ピックアップ装置１０のフィードバック制御系（図示せず）は、フロントモニタ１２によって検出されるパワーが一定になるように、レーザ光源２に供給する電流を制御する。これによって光１００ディスクに入射するレーザ光のパワーを一定に保つ。
【００１３】
【特許文献１】
特開２００２−９２８９６号公報
【特許文献２】
特開２０００−２１００１号公報
【００１４】
【発明が解決しようとする課題】
光ピックアップ装置には、小形化だけでなく、コンパクトディスク（略称：ＣＤ）およびデジタル多機能ディスク（略称：ＤＶＤ）のいずれに対しても読書きできることが求められている。特にＤＶＤに対しては、情報記録面へのレーザ光の集光精度を非常に高くしなければならない。
【００１５】
第１の従来技術では、図１４に示す立上ミラー５の傾斜角度を、目標傾斜角度の±５分以内に管理する必要がある。しかし製造工程において立上ミラー貼付部７ａに生じる仕上がり誤差のために、立上ミラー５の傾斜角度を目標傾斜角度の±５分以内に管理するのは困難である。このように立上ミラー５の傾斜角度を高精度に調整できないという問題がある。
【００１６】
第２の従来技術では、立上ミラー５の傾斜角度を変更できるけれども、そのために、ホルダ８Ａ〜８Ｄおよびスライダ８Ｅを用いるので、構成が複雑になる。また立上ミラー５は、ホルダ８Ａ〜８Ｄおよびスライダ８Ｅを介してハウジング７に固定されるので、ホルダ８Ａ〜８Ｄおよびスライダ８Ｅの精度も要求される。
【００１７】
第３の従来技術のようなフロントモニタ方式の光ピックアップ装置１０では、反射ミラー１１において、レーザ光源２からのレーザ光の数パーセントをフロントモニタ１２に導く必要がある。光ピックアップ装置１０が、書込み可能な光ディスクに情報を書込む場合、対物レンズ６から光ディスクに出射するレーザ光の光量は、書込み速度に依存する。したがって反射ミラー１１によってフロントモニタ１２に導くレーザ光の光量をできる限り少なくするためには、フロントモニタ１２の受光素子に効率よくレーザ光を入射させる必要がある。
【００１８】
またフロントモニタ方式の光ピックアップ装置１０は、半導体レーザ素子の放射特性、レーザ光源２から出射されたレーザ光を反射させる立上ミラー５の反射率、立上ミラー５の取付位置、フロントモニタ１２の取付位置などが、装置毎にばらつく。これによってフロントモニタ１２における受光量も装置毎にばらつき、このようなばらつきを押えるために、光ピックアップ装置１０のフィードバック制御系では、外付抵抗によってゲイン調整を行っている。
【００１９】
ここで問題となるのは、フロントモニタ１２をハウジング７に取付けるときの取付精度および反射ミラー１１の取付精度などの部品精度および組立精度を向上する必要があり。特に反射ミラー１１の取付けの精度が低いと、反射ミラー１１がフロントモニタ１２から離れた位置にある場合、大きな影響を及ぼす。また外付抵抗によってゲイン調整を行うようにしても、レーザ光のパワーを適正範囲に入れることができるけれども、応答速度に影響してくるので、光ピックアップ装置を量産すると、装置毎にばらつきも生じてくる。特に光ディスクに書込み可能な光ピックアップ装置の場合は、さらに高い精度が必要となってくるために、無調整の組立では、部品精度および組立精度を向上することが非常に困難である。
【００２０】
したがって本発明の目的は、光源から出射される光を確実に光記録媒体に導くことができる光ピックアップ装置、および光源からの光を確実に検出できる光ピックアップ装置を提供することである。
【００２１】
【課題を解決するための手段】
本発明は、光源からの光を光記録媒体に照射して、少なくとも前記光記録媒体に記録される情報を読取る光ピックアップ装置であって、
厚み方向一方の表面が平面状に形成されるとともに、厚み方向他方の表面が凸曲面状に形成され、前記厚み方向一方の表面は、入射する光を反射する性質を有し、光源からの光を、前記光の光軸に交差する方向に反射して、光記録媒体に導く導光手段を備えることを特徴とする光ピックアップ装置である。
【００２２】
本発明に従えば、光源からの光は、導光手段の平面状に形成される厚み方向一方の表面に入射すると、光源から前記表面に入射した光の光軸に交差する方向に反射されて、光記録媒体に導かれる。このように光源からの光を光記録媒体に導くことができる。また導光手段の厚み方向他方の表面が凸曲面状に形成されるので、レンズ形状の導光手段を実現できる。
【００２３】
また本発明は、前記導光手段は、厚み方向他方の表面が凸球面状に形成される立上ミラーであることを特徴とする。
【００２４】
本発明に従えば、導光手段は、厚み方向他方の表面が凸球面状に形成される立上ミラーであるので、平凸レンズ形状の立上ミラーを実現できる。
【００２５】
また本発明は、前記導光手段は、厚み方向他方の表面が凸円筒面状に形成される立上ミラーであることを特徴とする。
【００２６】
本発明に従えば、導光手段は、厚み方向他方の表面が凸円筒面状に形成される立上ミラーであるので、シリンドリカルレンズ形状の立上ミラーを実現できる。
【００２７】
また本発明は、前記導光手段の厚み方向他方の表面に対応する曲面に形成される支持面を有する支持手段をさらに備えることを特徴とする。
【００２８】
本発明に従えば、支持手段は、導光手段の厚み方向他方の表面に対応する曲面に形成される支持面を有する。導光手段の厚み方向他方の表面が、たとえば凸球面状に形成されている場合、支持手段の支持面は、凹球面状に形成される。このような支持面に導光手段の厚み方向他方の表面を当接させることによって、支持手段は、導光手段を、厚み方向他方の表面の曲率中心を通る軸線まわりに角変位可能にして支持することができる。また導光手段の厚み方向他方の表面が、たとえば凸円筒面状に形成されている場合、支持手段の支持面は、凹円筒面状に形成される。このような支持面に導光手段の厚み方向他方の表面を当接させることによって、支持手段は、導光手段を、厚み方向他方の表面の曲率中心となる軸線まわりに角変位可能にして支持することができる。このように導光手段を角変位させることによって、光源から導光手段に向かう光の光軸と導光手段の厚み方向一方の表面との成す角度を調整することができる。これによって導光手段から光記録媒体に向かう光の光軸と光記録媒体の情報記録面との角度を調整することができる。
【００２９】
また本発明は、前記導光手段は、厚み方向一方の表面に入射した光の一部を透過する透光性を有し、
前記導光手段の厚み方向他方の表面に臨み、前記導光手段を透過して厚み方向他方の表面から出射した光を検出する検出手段をさらに備えることを特徴とする。
【００３０】
本発明に従えば、導光手段の厚み方向一方の表面に入射した光は、その一部が導光手段を透過して、厚み方向他方の表面から出射し、導光手段の厚み方向他方の表面に臨む検出手段によって検出される。また導光手段は、厚み方向一方の表面が平面状に形成され、厚み方向他方の表面が凸球面状または凸円筒面状に形成される凸レンズであるので、厚み方向一方の表面に入射して、透過して、厚み方向他方の表面から出射した光を収束させることができる。したがって導光手段を透過する光が、導光手段の厚み方向一方の表面に入射した光の極一部であっても、集光して効率良く検出手段に入射させることができる。このように検出した光を、たとえば光源の制御系にフィードバックすることで、光源からの光の出力を好適に制御することができる。
【００３１】
また本発明は、光源と立上ミラーとの間に配置され、光源からの光を平行光に変換するコリメートレンズと、
光源からの光のうち、コリメートレンズに入射する有効領域よりも外方の光を、前記光の光軸に交差する方向に反射する反射手段と、
反射手段で反射した光を検出する検出手段とをさらに備え、
前記反射手段と前記検出手段とは一体的に設けられることを特徴とする。
【００３２】
本発明に従えば、光源からの光のうち、コリメートレンズに入射する有効領域よりも外方の光は、反射手段によって、前記光の光軸に交差する方向に反射されて、検出手段によって検出される。このように光源からの光のうち、コリメートレンズに入射する有効領域よりも外方の光を反射するので、コリメートレンズから光記録媒体に入射する光が損なわれることがない。また反射手段と検出手段とは一体的に設けられるので、反射手段と検出手段との位置関係を保持した状態で、位置決めを容易に行うことができる。
【００３３】
また本発明は、反射手段と検出手段とは、機械的に連結されることを特徴とする。
【００３４】
本発明に従えば、反射手段と検出手段とは、機械的に連結されるので、反射手段と検出手段とを一体的に設けることを実現できる。
【００３５】
また本発明は、反射手段は、透光性を有するとともに、軸線方向一端部には、光を軸線方向他端部に向けて反射する反射面を有し、
検出手段は、前記反射手段の軸線方向他端部に連結されることを特徴とする。
【００３６】
本発明に従えば、検出手段は、反射手段の軸線方向他端部に連結されるので、反射手段と検出手段とを一体的に設けることを実現できる。また反射手段は、透光性を有するとともに、軸線方向一端部には、光を軸線方向他端部に向けて反射する反射面を有しているので、前記反射面に入射した光を、確実に検出手段に導くことができる。
【００３７】
また本発明は、反射手段および検出手段は、位置を調整可能にして設けられることを特徴とする。
【００３８】
本発明に従えば、反射手段および検出手段は、位置を調整可能にして設けられるので、反射手段と検出手段との位置関係を保持した状態で、たとえば反射手段を、光源からの光のうち、コリメートレンズに入射する有効領域よりも外方の光を反射可能な位置に調整して、コリメートレンズから光記録媒体に入射する光が損うことなく、光源からの光を確実に検出することができる。
【００３９】
【発明の実施の形態】
図１は、本発明の第１の実施形態の光ピックアップ装置２０を模式的に示す図である。光ピックアップ装置１は、レーザ光源２１からの光を光記録媒体である光ディスク１００に照射して、光ディスク１００の情報記録面に記録される情報の読取り、および書込み可能な光ディスク１００に情報の書込みを行う。光ピックアップ装置２０は、レーザ光源２１、回折格子２２、ビームスプリッタ２３、コリメートレンズ２４、立上ミラー２５および対物レンズ２６を含んで構成される。レーザ光源２１、回折格子２２、ビームスプリッタ２３、コリメートレンズ２４、立上ミラー２５および対物レンズ２６は、ハウジング２７に収容されている。レーザ光源２１、回折格子２２、ビームスプリッタ２３、コリメートレンズ２４および立上ミラー２５は、矢符Ｘ方向に延びる略一直線上に順に並んで配置される。立上ミラー２５および対物レンズ２６は、前記矢符Ｘ方向に垂直な矢符Ｚ方向に順に並んで配置される。
【００４０】
光源であるレーザ光源２１は、半導体レーザ素子とも呼ばれるレーザダイオード（Ｌａｓｅｒ  Ｄｉｏｄｅ  ；略称：ＬＤ）で実現される。光ピックアップ２０を制御する制御装置（図示せず）から電流が与えられると、レーザ光源２１は、光ディスク１００がコンパクトディスク（Ｃｏｍｐａｃｔ  Ｄｉｓｃ；略称：ＣＤ）である場合には、波長が７８０ナノメートルのレーザ光を出射し、光ディスク１００がデジタル多機能ディスク（Ｄｉｇｉｔａｌ  Ｖｅｒｓａｔｉｌｅ  Ｄｉｓｃ；略称：ＤＶＤ）である場合には、波長が６５０ナノメートルのレーザ光を出射する。レーザ光源２１から出射されるレーザ光の光束は、光軸に垂直な断面形状が楕円状である。
【００４１】
回折格子２２は、レーザ光源２１からのレーザ光を回折させて、光ディスク１００の情報記録面に記録される情報を読取るための０次回折光と、前記０次回折光を光ディスク１００の情報記録面のトラックに集光するように制御するために用いられる±１次回折光および±２次回折光とに分離する。以後、理解を容易にするために、０次回折光をレーザ光と呼び、光軸は０次回折光の光軸とする。
【００４２】
ビームスプリッタ２３は、レーザ光源２１からのレーザ光を透過して、コリメートレンズ２４に導くとともに、対物レンズ２６、立上ミラー２５およびコリメートレンズ２４を経た光ディスク１００からの光を反射して、図示しないフォトダイオードに導く。コリメートレンズ２４は、レーザ光源２１からの発散光であるレーザ光を平行光に変換して、立上ミラー２５に導く。
【００４３】
図２は、立上ミラー２５を拡大して示す図である。導光手段である立上ミラー２５は、厚み方向一方の表面である第１表面２５ａが平面状に形成されるとともに、厚み方向他方の表面である第２表面２５ｂが凸曲面状、詳細には、凸球面状に形成される。さらに詳細には、第１表面２５ａは円形であり、第２表面２５ｂは、前記第１表面２５ａの中心を曲率中心とし、前記第１表面２５ａの半径と同寸法の曲率半径となる凸球面状であり、すなわち立上ミラー２５は半球状である。立上ミラー２５の第１表面２５ａは、入射する光を反射する性質を有する。立上ミラー２５の第１表面２５ａは、コリメートレンズ２４および対物レンズ２６に臨み、レーザ光源２１からのレーザ光を、前記レーザ光の光軸Ｌ１０に交差する方向に反射して、対物レンズ２６に導く。
【００４４】
再び図１を参照して、対物レンズ２６は、レーザ光源２１からのレーザ光を、光ディスク１００の情報記録面に集光する。
【００４５】
レーザ光源２１から出射されたレーザ光は、回折格子２２およびビームスプリッタ２３を経て、コリメートレンズ２４に入射する。このようにコリメートレンズ２４に入射したレーザ光源２１からの発散光となっているレーザ光は、コリメートレンズ２４によって平行光に変換される。コリメートレンズ２４によって平行光に変換されたレーザ光源２１からのレーザ光は、立上ミラー２５の第１表面２５ａに入射して反射されて、対物レンズ２６に導かれる。このときコリメートレンズ２４から第１表面２５ａに入射したレーザ光の光軸Ｌ１０と、第１表面２５ａから対物レンズ２６に向かうレーザ光の光軸Ｌ１１とは、交差する。対物レンズ２６に導かれたレーザ光源２１からのレーザ光は、対物レンズ２６に入射して、対物レンズ２６によって収束光に変換されて、光ディスク１００の情報記録面に集光される。
【００４６】
ハウジング２７には、図２に示すように、立上ミラー２５の第２表面２５ｂに対応する曲面に形成される支持面２８ａを有する支持手段である支持部２８が設けられる。支持部２８の支持面２８ａは、詳細には、第２表面２５ｂの曲率半径とほぼ同寸法の曲率半径となる凹球面状である。支持部２８は、その厚みが、立上ミラー２５の曲率半径よりも小さい寸法に設定される。立上ミラー２５は、立上ミラー２５の第２表面２５ｂが支持部２８の支持面２８ａに密に当接することで、支持部２８によって支持される。このように支持されている状態では、立上ミラー２５は、曲率中心を通る任意の軸線まわりに角変位可能である。また、このとき立上ミラー２５の第１表面２５ａは、支持部２８から完全に露出しているとともに、第２表面２５ｂは、支持部２８から一部分が露出している。
【００４７】
図３は、立上ミラー２５の位置調整を説明するための図である。図２も併せて参照する。光ピックアップ装置２０を製造する工程において、まず、調整するために用いる基準面８０とハウジング２７の底部２７ａとの成す角度θが、たとえば４５度となるようにして、ハウジング２７を固定する。次に、支持部２８に立上ミラー２５をに支持させている状態で、支持部２８から露出している立上ミラー２５の第２表面２５ｂを真空ピンセット２９で把持する。続いて、前記基準面８０に平行にして設けられるオートコリメータ８１から参照光を立上ミラー２５に照射して、立上ミラー２５の第１表面２５ａがオートコリメータ８１と平行であると検出されるように、真空ピンセット２９を操作して立上ミラー２５を角変位させる。オートコリメータ８１によって第１表面２５ａがオートコリメータ８１と平行であると検出されると、立上ミラー２５の第１表面２５ａと基準面８０とが平行になり、換言すれば、立上ミラー２５の第１表面２５ａとハウジング２７の底部２７ａとの成す角度がθ、ここでは４５度となる。このようにして立上ミラー２５の位置調整ができる。
【００４８】
立上ミラー２５の第２表面２５ｂは支持部２８の支持面２８ａに密に当接しているので、立上ミラー２５を、曲率中心を通る任意の軸線まわり、少なくともコリメートレンズ２４の軸線と対物レンズ２６の軸線とを含む平面に垂直な軸線まわりに滑らかに角変位することができる。また立上ミラー２５の位置決めが完了した後に、立上ミラー２５の第２表面２５ｂと支持部２８の支持面２８ａとを接着剤によって接着する。このとき立上ミラー２５の第２表面２５ｂは支持部２８の支持面２８ａに密に当接しているので、接着後に温度変化によって、立上ミラー２５が位置決めされた角度位置からずれることを可及的に無くすことができる。
【００４９】
図４は、本発明の第２の実施形態の光ピックアップ装置３０を模式的に示す図である。光ピックアップ装置３０は、レーザ光源２１、回折格子２２、ビームスプリッタ３３、コリメートレンズ２４、立上ミラー３１および対物レンズ２６を含んで構成される。レーザ光源２１、回折格子２２、ビームスプリッタ３３、コリメートレンズ２４、立上ミラー３１および対物レンズ２６は、ハウジング（図示せず）に収容されている。本実施の形態の光ピックアップ装置３０における、レーザ光源２１、回折格子２２、コリメートレンズ２４および対物レンズ２６は、前述の第１の実施形態の光ピックアップ装置２０におけるレーザ光源２１、回折格子２２、コリメートレンズ２４および対物レンズ２６と同様であるので、同一の参照符号を付して、詳細な説明は省略する。
【００５０】
ビームスプリッタ３３は、レーザ光源２１からのレーザ光を反射して、コリメートレンズ２４に導くとともに、対物レンズ２６、立上ミラー２５およびコリメートレンズ２４を経た光ディスク１００からの光を透過して、図示しないフォトダイオードに導く。レーザ光源２１、回折格子２２およびビームスプリッタ３３は、矢符Ｙ方向に延びる略一直線上に順に並んで配置される。ビームスプリッタ３３、コリメートレンズ２４および立上ミラー３１は、前記矢符Ｙ方向に垂直に延びる矢符Ｘ方向に延びる略一直線上に順に並んで配置される。立上ミラー３１および対物レンズ２６は、前記矢符Ｘ方向と前記矢符Ｙ方向とに垂直な矢符Ｚ方向に順に並んで配置される。
【００５１】
図５は、立上ミラー３１を示す斜視図である。導光手段である立上ミラー３１は、厚み方向一方の表面である第１表面３１ａが平面状に形成されるとともに、厚み方向他方の表面である第２表面３１ｂが凸曲面状、詳細には、凸円筒面状に形成される。さらに詳細には、第１表面３１ａは長方形であり、第２表面３１ｂは、前記第１表面３１ａの中心を通る第１表面３１ａの長手方向に延びる直線を軸線Ｌ３１とする凸円筒面状であり、すなわち立上ミラー３１は半円柱状である。立上ミラー３１の第１表面３１ａは、入射する光を反射する性質を有する。立上ミラー３１の第１表面３１ａは、コリメートレンズ２４および対物レンズ２６に臨み、レーザ光源２１からのレーザ光を、前記レーザ光の光軸Ｌ１２に交差する方向に反射して、対物レンズ２６に導く。
【００５２】
レーザ光源２１から出射されたレーザ光は、回折格子２２およびビームスプリッタ２３を経て、コリメートレンズ２４に入射する。このようにコリメートレンズ２４に入射したレーザ光源２１からの発散光となっているレーザ光は、コリメートレンズ２４によって平行光に変換される。コリメートレンズ２４によって平行光に変換されたレーザ光源２１からのレーザ光は、立上ミラー３１の第１表面３１ａに入射して反射されて、対物レンズ２６に導かれる。このときコリメートレンズ２４から第１表面３１ａに入射したレーザ光の光軸Ｌ１２と、第１表面３１ａから対物レンズ２６に向かうレーザ光の光軸Ｌ１３とは、交差する。またこのときコリメートレンズ２４から第１表面３１ａに入射したレーザ光の光軸Ｌ１２と、軸線Ｌ３１とは垂直であり、第１表面３１ａから対物レンズ２６に向かうレーザ光の光軸Ｌ１３と、軸線Ｌ３１とは垂直である。対物レンズ２６に導かれたレーザ光源２１からのレーザ光は、対物レンズ２６に入射して、対物レンズ２６によって収束光に変換されて、光ディスク１００の情報記録面に集光される。
【００５３】
ハウジングには、立上ミラー３１の第２表面３１ｂに対応する曲面に形成される支持面を有する支持部が設けられる（図示せず）。支持部の支持面は、詳細には、第２表面３１ｂの曲率半径とほぼ同寸法の曲率半径となる凹円筒面状である。支持部は、その厚みが、立上ミラー３１の厚み方向の寸法よりも小さい寸法に設定される。立上ミラー３１は、立上ミラー３１の第２表面３１ｂが支持部の支持面に密に当接することで、支持部によって支持される。このように支持されている状態では、立上ミラー３１は、軸線Ｌ３１まわりに角変位可能である。また、このとき立上ミラー３１の第１表面３１ａは、支持部から完全に露出しているとともに、第２表面３１ｂは、支持部から一部分が露出している。
【００５４】
光ピックアップ装置２０を製造する工程において、図３に示すように、前述の第１の実施の形態の光ピックアップ装置２０と同様にして、立上ミラー３１の位置調整を行うことができるので、詳細な説明は省略する。ここでは立上ミラー３１を支持部に支持させている状態で、支持部から露出している立上ミラー２５の第２表面２５ｂは、真空ピンセット２９によって把持される。
【００５５】
立上ミラー３１の第２表面３１ｂは支持部の支持面に密に当接しているので、立上ミラー３１を、前記軸線Ｌ３１まわり、換言すれば、コリメートレンズ２４の軸線と対物レンズ２６の軸線とを含む平面に垂直な軸線まわりに滑らかに角変位することができる。また立上ミラー３１の位置決めが完了した後に、立上ミラー３１の第２表面３１ｂと支持部の支持面とを接着剤によって接着する。このとき立上ミラー３１の第２表面３１ｂは支持部の支持面に密に当接しているので、接着後に温度変化によって、立上ミラー３１が位置決めされた角度位置からずれることを可及的に無くすことができる。
【００５６】
本実施の形態の光ピックアップ装置３０の構成では、図４に示すように、ビームスプリッタ３３の取付位置のずれによって、立上ミラー３１の第１表面３１ａで反射して対物レンズ２６に導かれるレーザ光の光軸Ｌ１３と、立上ミラー３１に入射するレーザ光源２１からのレーザ光の光軸Ｌ１２との成す角度が、直角からずれてしまう。前述のように立上ミラー３１を、軸線Ｌ３１まわりに角変位可能とすることによって、第１表面２５ａから対物レンズ２６に向かうレーザ光の光軸Ｌ１３と、コリメートレンズ２４から第１表面３１ａに入射したレーザ光の光軸Ｌ１２とが直交となるようにできる。
【００５７】
図６は、本発明の第３の実施形態の光ピックアップ装置４０を模式的に示す図である。光ピックアップ装置４０は、レーザ光源２１、回折格子２２、ビームスプリッタ２３、コリメートレンズ２４、立上ミラー４１、対物レンズ２６およびフロントモニタ４２を含んで構成される。レーザ光源２１、回折格子２２、ビームスプリッタ２３、コリメートレンズ２４、立上ミラー４１、対物レンズ２６およびフロントモニタ４２は、ハウジング２７に収容されている。本実施の形態の光ピックアップ装置３０における、レーザ光源２１、回折格子２２、ビームスプリッタ２３、コリメートレンズ２４および対物レンズ２６は、前述の第１の実施形態の光ピックアップ装置２０におけるレーザ光源２１、回折格子２２、ビームスプリッタ２３、コリメートレンズ２４および対物レンズ２６と同様であるので、同一の参照符号を付して、詳細な説明は省略する。
【００５８】
導光手段である立上ミラー４１は、図２に示す前述の第１の実施形態の光ピックアップ装置２０における立上ミラー２５と同形状である。すなわち立上ミラー４１は、厚み方向一方の表面である第１表面４１ａが平面状に形成されるとともに、厚み方向他方の表面である第２表面４１ｂが凸曲面状、詳細には、凸球面状に形成される。さらに詳細には、第１表面４１ａは円形であり、第２表面４１ｂは、前記第１表面４１ａの中心を曲率中心とし、前記第１表面４１ａの半径と同寸法の曲率半径となる凸球面状であり、すなわち立上ミラー４１は半球状である。
【００５９】
立上ミラー４１の第１表面４１ａは、入射する光の大部分を反射するとともに、一部を透過する性質を有する。また立上ミラー４１は、第１表面４１ａに入射した光の一部を透過する透光性を有する。したがって立上ミラー４１は、厚み方向一方の表面が平面状に、厚み方向他方の表面が凸球面状に形成される平凸レンズである。立上ミラー４１の第１表面４１ａは、コリメートレンズ２４および対物レンズ２６に臨み、レーザ光源２１からのレーザ光の大部分を、前記レーザ光の光軸Ｌ１４に交差する方向に反射して、対物レンズ２６に導くとともに、レーザ光源２１からのレーザ光の一部、たとえば、レーザ光源からのレーザ光の約３〜５パーセントを透過して、第２表面４１ｂから出射する。このように立上ミラー４１の第２表面４１ｂから出射されるレーザ光は、集光される。
【００６０】
ハウジング２７には、図２に示す前述の第１の実施形態の光ピックアップ装置２０における支持部２８と同様の支持部が設けられる（図６には図示せず）。すなわち前記支持部は、立上ミラー４１の第２表面４１ｂに対応する曲面に形成される支持面を有する。支持部の支持面は、詳細には、立上ミラー４１の第２表面４１ｂの曲率半径とほぼ同寸法の曲率半径となる凹球面状である。支持部は、その厚みが、立上ミラー４１の曲率半径よりも小さい寸法に設定される。立上ミラー４１は、立上ミラー４１の第２表面４１ｂが支持部の支持面に密に当接することで、支持部によって支持される。このように支持されている状態では、立上ミラー４１は、曲率中心を通る任意の軸線まわりに角変位可能である。また、このとき立上ミラー４１の第１表面４１ａは、支持部から完全に露出しているとともに、第２表面４１ｂは、支持部から一部分が露出している。
【００６１】
検出手段であるフロントモニタ４２は、たとえばフォトダイオードで実現され、受光部分が立上ミラー４１の第２表面４１ｂに臨むようにして配置される。フロントモニタ４２は、立上ミラー４１を透過して第２表面４１ｂから出射されるレーザ光を検出する。
【００６２】
レーザ光源２１から出射されたレーザ光は、回折格子２２およびビームスプリッタ２３を経て、コリメートレンズ２４に入射する。このようにコリメートレンズ２４に入射したレーザ光源２１からの発散光となっているレーザ光は、コリメートレンズ２４によって平行光に変換される。コリメートレンズ２４によって平行光に変換されたレーザ光源２１からのレーザ光の大部分は、立上ミラー４１の第１表面４１ａに入射して、平行光の状態を維持したまま反射されて、対物レンズ２６に導かれる。このときコリメートレンズ２４から第１表面４１ａに入射したレーザ光の光軸Ｌ１４と、第１表面４１ａから対物レンズ２６に向かうレーザ光の光軸Ｌ１５とは、交差する。対物レンズ２６に導かれたレーザ光源２１からのレーザ光は、対物レンズ２６に入射して、対物レンズ２６によって収束光に変換されて、光ディスク１００の情報記録面に集光される。
【００６３】
またコリメートレンズ２４によって平行光に変換されたレーザ光源２１からのレーザ光の一部は、立上ミラー４１の第１表面４１ａに入射して、立上ミラー４１を透過して第２表面４１ｂから出射して、フロントモニタ４２に集光される。したがって立上ミラー４１を透過するレーザ光が、立上ミラー４１の第１表面４１ａに入射したレーザ光の極一部であっても、集光して効率良くフロントモニタ４２に入射させることができる。このように検出したレーザ光を、たとえばレーザ光源２１の制御系にフィードバックすることで、レーザ光源２１からのレーザ光の出力を好適に制御することができる。
【００６４】
図７は、本発明の第４の実施形態の光ピックアップ装置５０を模式的に示す図である。光ピックアップ装置５０は、レーザ光源２１、回折格子２２、ビームスプリッタ２３、コリメートレンズ２４、立上ミラー５１、対物レンズ２６およびフロントモニタ４２を含んで構成される。レーザ光源２１、回折格子２２、ビームスプリッタ２３、コリメートレンズ２４、立上ミラー５１、対物レンズ２６およびフロントモニタ４２は、ハウジング２７に収容されている。本実施の形態の光ピックアップ装置５０における、レーザ光源２１、回折格子２２、ビームスプリッタ２３、コリメートレンズ２４および対物レンズ２６は、前述の第１の実施形態の光ピックアップ装置２０におけるレーザ光源２１、回折格子２２、ビームスプリッタ２３、コリメートレンズ２４および対物レンズ２６と同様であるので、同一の参照符号を付して、詳細な説明は省略する。また本実施の形態の光ピックアップ装置５０におけるフロントモニタ４２は、前述の第３の実施形態の光ピックアップ装置４０におけるフロントモニタ４２と同様であるので、同一の参照符号を付して、詳細な説明は省略する。
【００６５】
導光手段である立上ミラー５１は、図５に示す前述の第２の実施形態の光ピックアップ装置２０における立上ミラー３１と同形状である。すなわち立上ミラー５１は、厚み方向一方の表面である第１表面５１ａが平面状に形成されるとともに、厚み方向他方の表面である第２表面５１ｂが凸曲面状、詳細には、凸円筒面状に形成される。さらに詳細には、第１表面５１ａは長方形であり、第２表面５１ｂは、前記第１表面５１ａの中心を通る第１表面５１ａの長手方向に延びる直線を軸線とする凸円筒面状であり、すなわち立上ミラー５１は半円柱状である。
【００６６】
立上ミラー５１の第１表面５１ａは、入射する光の大部分を反射するとともに、一部を透過する性質を有する。また立上ミラー５１は、第１表面５１ａに入射した光の一部を透過する透光性を有する。したがって立上ミラー５１は、厚み方向一方の表面が平面状に、厚み方向他方の表面が凸円筒面状に形成されるシリンドリカルレンズである。立上ミラー５１の第１表面５１ａは、コリメートレンズ２４および対物レンズ２６に臨み、レーザ光源２１からのレーザ光の大部分を、前記レーザ光の光軸Ｌ１５に交差する方向に反射して、対物レンズ２６に導くとともに、レーザ光源２１からのレーザ光の一部、たとえば、レーザ光源からのレーザ光の約３〜５パーセントを透過して、第２表面５１ｂから出射する。このように立上ミラー５１の第２表面５１ｂから出射されるレーザ光は、集光される。
【００６７】
ハウジング２７には、前述の第２の実施形態の光ピックアップ装置３０における支持部と同様の支持部が設けられる（図示せず）。すなわち前記支持部は、立上ミラー５１の第２表面５１ｂに対応する曲面に形成される支持面を有する。支持部の支持面は、詳細には、立上ミラー５１の第２表面５１ｂの曲率半径とほぼ同寸法の曲率半径となる凹円筒面状である。支持部は、その厚みが、立上ミラー５１の第２表面５１ｂの曲率半径よりも小さい寸法に設定される。立上ミラー５１は、立上ミラー５１の第２表面５１ｂが支持部の支持面に密に当接することで、支持部によって支持される。このように支持されている状態では、立上ミラー５１は、前記軸線まわりに角変位可能である。また、このとき立上ミラー５１の第１表面５１ａは、支持部から完全に露出しているとともに、第２表面５１ｂは、支持部から一部分が露出している。
【００６８】
レーザ光源２１から出射されたレーザ光は、回折格子２２およびビームスプリッタ２３を経て、コリメートレンズ２４に入射する。このようにコリメートレンズ２４に入射したレーザ光源２１からの発散光となっているレーザ光は、コリメートレンズ２４によって平行光に変換される。コリメートレンズ２４によって平行光に変換されたレーザ光源２１からのレーザ光の大部分は、立上ミラー５１の第１表面５１ａに入射して、平行光の状態を維持したまま反射されて、対物レンズ２６に導かれる。このときコリメートレンズ２４から第１表面５１ａに入射したレーザ光の光軸Ｌ１６と、第１表面５１ａから対物レンズ２６に向かうレーザ光の光軸Ｌ１７とは、交差する。対物レンズ２６に導かれたレーザ光源２１からのレーザ光は、対物レンズ２６に入射して、対物レンズ２６によって収束光に変換されて、光ディスク１００の情報記録面に集光される。
【００６９】
またコリメートレンズ２４によって平行光に変換されたレーザ光源２１からのレーザ光の一部は、立上ミラー５１の第１表面５１ａに入射して、立上ミラー５１を透過して第２表面５１ｂから出射して、フロントモニタ４２に集光される。したがって立上ミラー５１を透過するレーザ光が、立上ミラー５１の第１表面５１ａに入射したレーザ光の極一部であっても、集光して効率良くフロントモニタ４２に入射させることができる。このように検出したレーザ光を、たとえばレーザ光源２１の制御系にフィードバックすることで、レーザ光源２１からのレーザ光の出力を好適に制御することができる。
【００７０】
図８は、レーザ光源２１から出射されるレーザ光を説明するための図である。レーザ光源２１から出射されるレーザ光は、前述のように、光軸に垂直な断面形状が楕円状である。レーザ光は、光軸から離れるにつれて光の強度が小さくなるけれども、光軸から長半径方向にある位置の光の強度と、光軸から短半径方向にある位置の光の強度とは、光軸から同じ距離の位置であっても、光軸から長半径方向にある位置の光の強度のほうが、光軸から短半径方向にある位置の光の強度よりも大きい。本実施の形態において、レーザ光は、立上ミラー５１から対物レンズ２６に向かう方向（図８の矢符Ｚ方向）が、長半径方向（図９の矢符Ｚ方向）となるようにしてレーザ光源２１から出射される。このようなレーザ光のうち、立上ミラー５１を透過する光は、立上ミラー５１によって長半径方向が収束するようにして集光されるので、極めて効率良くフロントモニタ４２に入射させることができる。
【００７１】
図９は、本発明の第５の実施形態の光ピックアップ装置６０を模式的に示す図である。光ピックアップ装置６０は、レーザ光源２１、回折格子２２、ビームスプリッタ２３、コリメートレンズ２４、立上ミラー３１、対物レンズ２６、反射ミラー６１およびフロントモニタ６２を含んで構成される。レーザ光源２１、回折格子２２、ビームスプリッタ２３、コリメートレンズ２４、立上ミラー３１、対物レンズ２６、反射ミラー６１およびフロントモニタ６２は、ハウジング（図示せず）に収容されている。本実施の形態の光ピックアップ装置６０における、レーザ光源２１、回折格子２２、ビームスプリッタ２３、コリメートレンズ２４、立上ミラー２５および対物レンズ２６は、前述の第１の実施形態の光ピックアップ装置２０におけるレーザ光源２１、回折格子２２、ビームスプリッタ２３、コリメートレンズ２４、立上ミラー２５および対物レンズ２６と同様であるので、同一の参照符号を付して、詳細な説明は省略する。
【００７２】
図１０は、レーザ光と反射ミラー６１とコリメートレンズ２４との位置関係を示す図である。反射手段である反射ミラー６１は、回折格子２２とビームスプリッタ２３との間に配置される。レーザ光源２１からの光のうち、コリメートレンズ２４に入射する有効領域よりも外方のレーザ光だけを、前記レーザ光の光軸Ｌ１８に交差する方向に反射する。検出手段であるフロントモニタ６２は、たとえばフォトダイオードで実現され、受光部分が反射ミラー６１の第１表面６１ａに臨むようにして配置される。フロントモニタ６２は、反射ミラー６１の第１表面６１ａで反射されたレーザ光源２１からのレーザ光を検出する。このようにレーザ光源２１からの光のうち、コリメートレンズ２４に入射する有効領域よりも外方のレーザ光を反射するので、コリメートレンズ２４から光ディスク１００に入射するレーザ光が損なわれることがない。
【００７３】
図１１は、反射ミラー６１およびフロントモニタ６２を拡大して模式的に示す斜視図である。反射ミラー６１とフロントモニタ６２とは一体的に設けられる。詳細には、反射ミラー６１とフロントモニタ６２とは、機構部材６３に、たとえば接着剤によって固定されて、機械的に連結される。このように一体となった反射ミラー６１およびフロントモニタ６２は、図９に示すＹ方向に平行なＹａ方向に一体的に変位可能である。
【００７４】
レーザ光源２１がレーザ光を出射するときのレーザ光の放射角が、レーザ光源２１でばらつくような場合、本実施の形態の光ピックアップ装置６０のように、反射ミラー６１をレーザ光源２１とコリメートレンズ２４との間に配置する構成では、このようなばらつきによって、反射ミラー６１が反射する光の光量の変化が、光ピックアップ装置６０によってそれぞれ異なる。したがって反射ミラー６１およびフロントモニタ６２の位置を、光ピックアップ装置６０毎に調整する必要がある。反射ミラー６１およびフロントモニタ６２は、ともにその大きさが小さく、配置する位置を調整する場合、把持するのが困難である。したがって図１１に示すように、反射ミラー６１およびフロントモニタ６２を機構部材６３を介して一体的に構成することによって、たとえば真空ピンセットによって機構部材６３を容易に把持することができるようになる。このようにして機構部材６３を把持してＹａ方向に変位させて、反射ミラー６１に入射する光量を調整することで、フロントモニタ６２に入射する光量を調整することができる。
【００７５】
これによって反射ミラー６１とフロントモニタ６２との位置関係を保持した状態で、たとえば反射ミラー６１を、レーザ光源２１からの光のうち、コリメートレンズ２４に入射する有効領域よりも外方のレーザ光を反射可能な位置に調整して、コリメートレンズ２４から光ディスク１００に入射する光が損うことなく、レーザ光源２１からのレーザ光を確実に検出することができる。
【００７６】
光ピックアップ装置６０において、レーザ光源２１、回折格子２２、反射ミラー６１、ビームスプリッタ３３および立上ミラー２５は、矢符Ｘ方向に延びる略一直線上に順に並んで配置される。反射ミラー６１およびフロントモニタ６２は、前記矢符Ｘ方向に垂直に延びる矢符Ｙ方向に延びる略一直線上に順に並んで配置される。立上ミラー２５および対物レンズ２６は、前記矢符Ｘ方向と前記矢符Ｙ方向とに垂直な矢符Ｚ方向に順に並んで配置される。
【００７７】
レーザ光源２１から出射されたレーザ光は、回折格子２２およびビームスプリッタ２３を経て、コリメートレンズ２４に入射する。このようにコリメートレンズ２４に入射したレーザ光源２１からの発散光となっているレーザ光は、コリメートレンズ２４によって平行光に変換される。コリメートレンズ２４によって平行光に変換されたレーザ光源２１からのレーザ光は、立上ミラー２５の第１表面２５ａに入射して反射されて、対物レンズ２６に導かれる。このときコリメートレンズ２４から第１表面２５ａに入射したレーザ光の光軸Ｌ１０と、第１表面２５ａから対物レンズ２６に向かうレーザ光の光軸Ｌ１１とは、交差する。対物レンズ２６に導かれたレーザ光源２１からのレーザ光は、対物レンズ２６に入射して、対物レンズ２６によって収束光に変換されて、光ディスク１００の情報記録面に集光される。レーザ光源２１からの光のうち、コリメートレンズ２４に入射する有効領域よりも外方のレーザ光は、反射ミラー６１で反射されてフロントモニタ６２に導かれて検出される。
【００７８】
図１２は、本発明の第６の実施形態の光ピックアップ装置７０を模式的に示す図である。光ピックアップ装置７０は、レーザ光源２１、回折格子２２、ビームスプリッタ２３、コリメートレンズ２４、立上ミラー３１、対物レンズ２６および反射検出部７１を含んで構成される。レーザ光源２１、回折格子２２、ビームスプリッタ２３、コリメートレンズ２４、立上ミラー３１、対物レンズ２６および反射検出部は、ハウジング（図示せず）に収容されている。本実施の形態の光ピックアップ装置７０における、レーザ光源２１、回折格子２２、ビームスプリッタ２３、コリメートレンズ２４、立上ミラー２５および対物レンズ２６は、前述の第１の実施形態の光ピックアップ装置２０におけるレーザ光源２１、回折格子２２、ビームスプリッタ２３、コリメートレンズ２４、立上ミラー２５および対物レンズ２６と同様であるので、同一の参照符号を付して、詳細な説明は省略する。
【００７９】
図１３は、反射検出部７１を示す斜視図である。反射検出部７１は、反射透過部材７２および光検出部７３を含んで構成される。反射手段である反射透過部材７２は、透光性を有し、略直方体状に形成される。反射透過部材７２の軸線Ｌ７２方向一端部の端面７２ａは、前記軸線Ｌ７２に対して傾斜するように形成される。反射透過部材７２の軸線Ｌ７２方向一端部の端面７２ａは反射面であって、前記一端部に入射した光を、軸線Ｌ７２方向他端部７２ｂに向けて反射する性質を有する。反射透過部材７２の軸線Ｌ７２方向他端部７２ｂの端面は、前記軸線Ｌ７２に垂直となるように形成される。また反射透過部材７２の角側面を、内部から外部に光を透過させないような反射膜を設けるようにしてもよい。これによって反射透過部材７２の軸線Ｌ７２方向他端部７２ｂに、確実に導くことができる。
【００８０】
検出手段である光検出部７３は、たとえばフォトダイオードで実現され、受光部分が反射透過部材７２の軸線Ｌ７２一端部に連結されて固定される。光検出部７３は、反射透過部材７２の軸線Ｌ７２方向一端部の端面７２ａで反射された光を検出する。
【００８１】
これによって、反射検出部７１の反射透過部材７２の軸線Ｌ７２方向一端部の端面７２ａを、レーザ光源２１からの光のうち、コリメートレンズ２４に入射する有効領域よりも外方のレーザ光を反射可能な位置に調整して、コリメートレンズ２４から光ディスク１００に入射する光が損うことなく、レーザ光源２１からのレーザ光を確実に検出することができる。また反射透過部材７２は、透光性を有するとともに、軸線Ｌ７２方向一端部の端面７２ａは、光を軸線Ｌ７２方向他端部７２ｂに向けて反射するので、前記端面７２ａに入射した光を、確実に光検出部７３に導くことができる。
【００８２】
光ピックアップ装置７０において、レーザ光源２１、回折格子２２、反射検出部７１の反射透過部材７２の軸線Ｌ７２方向一端部の端面７２ａ、ビームスプリッタ３３および立上ミラー２５は、矢符Ｘ方向に延びる略一直線上に順に並んで配置される。反射ミラー６１およびフロントモニタ６２は、前記矢符Ｘ方向に垂直に延びる矢符Ｙ方向に延びる略一直線上に順に並んで配置される。
【００８３】
レーザ光源２１から出射されたレーザ光は、回折格子２２およびビームスプリッタ２３を経て、コリメートレンズ２４に入射する。このようにコリメートレンズ２４に入射したレーザ光源２１からの発散光となっているレーザ光は、コリメートレンズ２４によって平行光に変換される。コリメートレンズ２４によって平行光に変換されたレーザ光源２１からのレーザ光は、立上ミラー２５の第１表面２５ａに入射して反射されて、対物レンズ２６に導かれる。このときコリメートレンズ２４から第１表面２５ａに入射したレーザ光の光軸Ｌ１０と、第１表面２５ａから対物レンズ２６に向かうレーザ光の光軸Ｌ１１とは、交差する。対物レンズ２６に導かれたレーザ光源２１からのレーザ光は、対物レンズ２６に入射して、対物レンズ２６によって収束光に変換されて、光ディスク１００の情報記録面に集光される。レーザ光源２１からの光のうち、コリメートレンズ２４に入射する有効領域よりも外方のレーザ光は、反射検出部７１の反射透過部材７２の軸線Ｌ７２方向一端部の端面７２ａで反射されて、光検出部７３に導かれて検出される。
【００８４】
以上のように第１〜第６の実施形態の光ピックアップ装置２０，３０，４０，５０，６０，７０によれば、立上ミラー２５，３１，４１，５１を角変位させることによって、レーザ光源２１から立上ミラー２５，３１，４１，５１に向かうレーザ光の光軸と立上ミラー２５，３１，４１，５１の第１表面２５ａ，３１ａ，４１ａ，５１ａとの成す角度を高精度に調整することができる。これによって立上ミラー２５，３１，４１，５１から光ディスク１００に向かうレーザ光の光軸と光ディスク１００の情報記録面との角度を高精度に調整することができる。たとえば立上ミラー２５，３１，４１，５１の傾斜角を目標傾斜角の±５分以内にすることができる。
【００８５】
また第１〜第４の実施形態の光ピックアップ装置２０，３０，４０，５０によれば、立上ミラー２５，３１，４１，５１は、ハウジングに設けられる支持部だけで支持されるので、たとえば図１５に示すような従来技術に比べて、構造を単純にできるとともに、部品点数を少なくすることができる。
【００８６】
【発明の効果】
以上のように本発明によれば、光源からの光を光記録媒体に導くことができる。また導光手段の厚み方向他方の表面が凸曲面状に形成されるので、レンズ形状の導光手段を実現できる。
【００８７】
また本発明によれば、平凸レンズ形状の立上ミラーを実現できる。
また本発明によれば、シリンドリカルレンズ形状の立上ミラーを実現できる。
【００８８】
また本発明によれば、導光手段を角変位させることによって、光源から導光手段に向かう光の光軸と導光手段の厚み方向一方の表面との成す角度を調整することができる。これによって導光手段から光記録媒体に向かう光の光軸と光記録媒体の情報記録面との角度を調整することができる。
【００８９】
また本発明によれば、導光手段を透過する光が、導光手段の厚み方向一方の表面に入射した光の極一部であっても、集光して効率良く検出手段に入射させることができる。このように検出した光を、たとえば光源の制御系にフィードバックすることで、光源からの光の出力を好適に制御することができる。
【００９０】
また本発明によれば、光源からの光のうち、コリメートレンズに入射する有効領域よりも外方の光を反射するので、コリメートレンズから光記録媒体に入射する光が損なわれることがない。また反射手段と検出手段とは一体的に設けられるので、反射手段と検出手段との位置関係を保持した状態で、位置決めを容易に行うことができる。
【００９１】
また本発明によれば、反射手段と検出手段とを一体的に設けることを実現できる。
【００９２】
また本発明によれば、反射手段と検出手段とを一体的に設けることを実現できる。また反射手段は、透光性を有するとともに、軸線方向一端部には、光を軸線方向他端部に向けて反射する反射面を有しているので、前記反射面に入射した光を、確実に検出手段に導くことができる。
【００９３】
また本発明によれば、反射手段と検出手段との位置関係を保持した状態で、たとえば反射手段を、光源からの光のうち、コリメートレンズに入射する有効領域よりも外方の光を反射可能な位置に調整して、コリメートレンズから光記録媒体に入射する光が損うことなく、光源からの光を確実に検出することができる。
【図面の簡単な説明】
【図１】本発明の第１の実施形態の光ピックアップ装置２０を模式的に示す図である。
【図２】立上ミラー２５を拡大して示す図である。
【図３】立上ミラー２５の位置調整を説明するための図である。
【図４】本発明の第２の実施形態の光ピックアップ装置３０を模式的に示す図である。
【図５】立上ミラー３１を示す斜視図である。
【図６】本発明の第３の実施形態の光ピックアップ装置４０を模式的に示す図である。
【図７】本発明の第４の実施形態の光ピックアップ装置５０を模式的に示す図である。
【図８】レーザ光源２１から出射されるレーザ光を説明するための図である。
【図９】本発明の第５の実施形態の光ピックアップ装置６０を模式的に示す図である。
【図１０】レーザ光と反射ミラー６１とコリメートレンズ２４との位置関係を示す図である。
【図１１】反射ミラー６１およびフロントモニタ６２を拡大して模式的に示す斜視図である。
【図１２】本発明の第６の実施形態の光ピックアップ装置７０を模式的に示す図である。
【図１３】反射検出部７１を示す斜視図である。
【図１４】第１の従来技術である光ピックアップ装置１の構成を模式的に示す図である。
【図１５】第２の従来技術の光ピックアップ装置における、立上ミラー５の位置調整機構を示す図である。
【図１６】第３の従来技術であるフロントモニタ方式の光ピックアップ装置１０の構成を模式的に示す図である。
【符号の説明】
２０，３０，４０，５０，６０，７０  光ピックアップ装置
２１  レーザ光源
２４  コリメートレンズ
２５，３１，４１，５１  立上ミラー
４２，６２  フロントモニタ
６１  反射ミラー
７２  反射透過部材
７３  光検出部
【図１】
2004220665.tif 000003
【図２】
2004220665.tif 000004
【図３】
2004220665.tif 000005
【図４】
2004220665.tif 000006
【図５】
2004220665.tif 000007
【図６】
2004220665.tif 000008
【図７】
2004220665.tif 000009
【図８】
2004220665.tif 000010
【図９】
2004220665.tif 000011
【図１０】
2004220665.tif 000012
【図１１】
2004220665.tif 000013
【図１２】
2004220665.tif 000014
【図１３】
2004220665.tif 000015
【図１４】
2004220665.tif 000016
【図１５】
2004220665.tif 000017
【図１６】
2004220665.tif 000018